(57)【要約】
【課題】一種のバドミントン結構の改良を提供する。
【解決手段】おおざっぱに、一頭部(３)と一内植部(４)から構成され、各の内植体はすべて一スピンドルと一羽片体から構成され、その羽片体が複合材料布から作られ、このような形成結構はバドミントンの固有の特性を保つだけでなく、製造過程も簡略化でき、製造原価も低減でき、とても大量生産に合う。
【選択図】　　図４
0003099608.tif 000002
【実用新案登録請求の範囲】
【請求項１】
一頭部はあり、その一端が半球形になり、もう一端の周りに予定した順番に並ばれたホールが設けられ、一内植部はあり、予定した数の内植体から構成され、かつ各の内植体がその頭部にあったホールに対応してはめ込まれ、各の内植体はすべて一スピンドルと一羽片体から構成され、この羽片体には対称した一右羽根と一左羽根があり、複合材料布から作られた薄い層であり、その比重が40〜70ｇ／ｍ2に限らなければならない、羽片体の右と左羽根の隣接した軸線所がこのスピンドル軸径の一端に設けられて一体になることを特徴とする一種のバドミントン結構の改良。
【請求項２】
そのスピンドルが炭素繊維複合材料からなることを特徴とする請求項１に記載のバドミントン結構の改良。
【請求項３】
さらにそのスピンドルのまわりに少なくとも一定位輪をセットして固定され、その定位輪の内縁には一体になって予定した数の定位槽があり、各の部品が対応して定位されるのに用いられることを特徴とする請求項１に記載のバドミントン結構の改良。
【請求項４】
各の羽片体の右と左羽根が形成して予定した夾角の状態になることを特徴とする請求項１に記載のバドミントン結構の改良。
【考案の詳細な説明】
【技術分野】
【０００１】
この考案は一種のバドミントン結構に係わり、具体に言えば、特に製造過程を簡略化し、製造原価を低減し、大量生産に合ったバドミントン結構の改良。
【背景技術】
【０００２】
昔の一般的なバドミントン結構は２種類を有し、一種が飛ぶ鳥の羽から作られ（図１に示すように）、もう一種がプラスチック材料から作られた（図３に示すように）。
【０００３】
その中、飛ぶ鳥の羽から作られたバドミントンは大体一頭部(11)と一内植部(12)からなり、その頭部(11)の一端が半球形(111)になり、もう一端の周りに予定した順番に並ばれたホール(112)が設けられ、その内植部(12)が予定した数の飛ぶ鳥の羽から作られ、かつ各の羽(121)が対応して頭部(11)に設けられたホール(112)にはめ込まれ、また糸(13)で各の羽(121)を連結して一体にし、その糸(13)が各の羽(121)に連結した表面には一層の結合剤を塗装されてお互いの連結強度を増強する。製造時、すべての羽(121)は飛ぶ鳥から取られ、一般的には一つの飛ぶ鳥から一つの羽(121)だけ、多くとも有限したいくつかが取られ、またその羽(121)を取られた後、必ず加工処理を通し、即ち、その羽(121)（図２(a)に示すように）をカージング、クリッピングあるいはめちゃくちゃにすることと基本的な切り整えで平らできれい（図２(ｂ)に示すように）にし、続いて最後の裁ち切りを行われ、形成になってバドミントン(1)に用いられた羽(121)（図２(ｃ)に示すように）になる。それゆえに、このタイプのバドミントン(1)の羽(121)は必ず多数の飛ぶ鳥を殺して多くの加工手順を通させて利用できる羽(121)になり、時間だけでなくコストもかかり、製造原価を低減できない、実には経済の製造原則に一致しない。そのほか、人工で選んだ羽(121)は均一な標準を維持できないので、完成品のバドミントン(1)のバランス差が極めて大きくて均一な標準の品質を維持し難しい。
【０００４】
プラスチック材料から作られたバドミントン(2)では、プラスチック製の内植部(22)を利用して飛ぶ鳥の羽に代わり、多数の飛ぶ鳥を殺すことを避けるが、プラスチック材料の性質は羽のようによくないので、飛行方向でも距離でも理想的にコントロールできない、今までプラスチック材料から作られたバドミントン(2)は一般的な練習に用いられ、まだ正式のマッチ用球になることができない。
【０００５】
以上の事情を考えれば、この考案の出願者は詳しく思考し、長期間に各種の運動用器具とその付属部品の販売と研究開発との経験を累積し、製造と作りを繰り返してみたと、ついにこの考案のバドミントン結構の改良を開発した。
【考案の開示】
【考案が解決しようとする課題】
【０００６】
この考案は、複合材料から作られた内植部を利用して伝統的な羽或いはプラスチックから作られたものに代わり、それで、バドミントンの固有の特性を保つだけでなく、製造過程も簡略化でき、製造原価も低減でき、とても大量生産に合った一種のバドミントン結構の改良を提供することを主要な目的とする。
【課題を解決するための手段】
【０００７】
本考案は、一頭部はあり、その一端が半球形になり、もう一端の周りに予定した順番に並ばれたホールが設けられ、一内植部はあり、予定した数の内植体から構成され、かつ各の内植体がその頭部にあったホールに対応してはめ込まれ、各の内植体はすべて一スピンドルと一羽片体から構成され、この羽片体には対称した一右羽根と一左羽根があり、複合材料布から作られた薄い層であり、その比重が40〜70ｇ／ｍ2に限らなければならない、羽片体の右と左羽根の隣接した軸線所がこのスピンドル軸径の一端に設けられて一体になることを特徴とする一種のバドミントン結構の改良を提供する。
【０００８】
本考案は、そのスピンドルが炭素繊維複合材料からなることを特徴とする請求項１に記載のバドミントン結構の改良。
【０００９】
本考案は、さらにそのスピンドルのまわりに少なくとも一定位輪をセットして固定され、その定位輪の内縁には一体になって予定した数の定位槽があり、各の部品が対応して定位されるのに用いられることを特徴とする請求項１に記載のバドミントン結構の改良。
【００１０】
本考案は、各の羽片体の右と左羽根が形成して予定した夾角の状態になることを特徴とする請求項１に記載のバドミントン結構の改良。
【００１１】
この考案が上記の目的に達するため、使われた技術、手段とその効果はここで一好適な実施例を挙げて図を合わせて詳しく説明いたす。
【考案の効果】
【００１２】
本考案のバドミントンの結構の改良では、複合材料から作られた内植部を利用して伝統的な羽或いはプラスチックから作られたものに代わり、それで、バドミントンの固有の特性を保つだけでなく、製造過程も簡略化でき、製造原価も低減でき、とても大量生産に合うものとなる。
【考案を実施するための最良の形態】
【００１３】
まず、図４と図７を参照する。おおざっぱに、一頭部(３)と一内植部(４)と一定位輪(５)とから構成されるこの考案に係るバドミントン結構の改良の第一実施例において、
【００１４】
前記頭部(３)は慣用したコルク結構と同じであり、その一端が半球形(31)になり、もう一端の周りに予定した順番に並ばれたホール(32)が設けられ、
【００１５】
前記内植部(４)は、予定した数の内植体(41)から構成され、かつ各の内植体(41)がその頭部(3)にあったホール(32)に対応してはめ込まれ、この実施例には各の内植体(41)はすべて一スピンドル(411)と一羽片体(412)から構成され、その中には、この羽片体(412)には対称した一右羽根(412A)と一左羽根(412B)があり、複合材料布から作られた薄い層であり、その比重が40〜70ｇ／ｍ2に限らなければならない、羽片体(412)の右と左羽根(412A)(412B)の隣接した軸線所(412C)がこのスピンドル(411)軸径の一端に設けられ、固く結合して一体になり、
【００１６】
前記定位輪(5)はプラスチックから形成され、各のスピンドル(411)のまわりにセットして固定され、この実施例にあった二定位輪(5)を例とすれば、その定位輪(5)の内縁には一体になって予定した数の定位槽(51)があり、各のスピンドル(411) 対応して定位されるに用いられ、即ち、樹脂などの結合剤を利用する以上は、各のスピンドル(411)と定位輪(5)を一体になるのに促進し、　　　　　　　
【００１７】
以上のように、この考案の各部品の相互関係位置と結構を略に述べられた。
【００１８】
前記羽片体(412)と各のスピンドル(411)は一回裁切形成の材料から作られるので、特別な加工手順が加えない、製造過程を簡略化して製造原価を低減するのに役立つ。特に、羽片体(412)は、40〜70ｇ／ｍ2の比重で作られた対称した右羽根(412A)と左羽根(412B)と複合材料布から作られた薄い層が真実の羽が空気で浮く機能をもっており、さらに、羽片体(412)が自動化生産切り製造に合い、完全な標準化と規格化であるので、伝統的な飛ぶ鳥の羽から作られた製品より安定に飛行効果をもっている。
【００１９】
注目に値するのは、この考案は、バドミントンの飛行をコントロールするため、第一実施例の図６に示すように前記羽片体(412)が組み立てられる時、前記頭部(３)と予定した傾斜夾角(θ)の状態になるので、バドミントンが抵抗力を減少して回転飛行をするのに役立つ。一方、図７と図８に示すように、この考案は羽片体のもう一好適な実施例の横向平面断面図を示し、その中には、各の羽片体(412)の右羽根(412A)と左羽根(412B)が形成して予定した夾角(θ)の状態になるので、風抵抗を減少してバドミントンを安定に飛行させる。
【図面の簡単な説明】
【００２０】
【図１】慣用した羽から作られたバドミントン結構の立体部分解図である。
【図２】(a)〜(c)　慣用したバドミントンの加工手順の流れ概略図である。
【図３】慣用したプラスチックからバドミントン結構の立体図である。
【図４】この考案の一好適な実施例の分解立体図である。
【図５】この考案の立体部分解図である。
【図６】この考案の横向平面断面図である。
【図７】この考案の羽片体のもう一好適な実施例の立体部断面図である。
【図８】この考案の羽片体のもう一好適な実施例の横向平面断面図である。
【符号の説明】
【００２１】
１　バドミントン
１１　頭部    
１１１　半球形  
１１２　ホール    
１２　内植部    
１２１　羽    
１３　糸   
２　バドミントン   
２２　内植体    
３　頭部      
３１　半球形  
３２　ホール        
４　内植体  
４１　内植体  
４１１　スピンドル      
４１２　羽片体  
４１２Ａ　右羽根  
４１２Ｂ　左羽根　
４１２Ｃ　軸線所　
θ　夾角   
５　定位輪      
５１　定位槽
【図１】
0003099608.tif 000003
【図２】
0003099608.tif 000004
【図３】
0003099608.tif 000005
【図４】
0003099608.tif 000006
【図５】
0003099608.tif 000007
【図６】
0003099608.tif 000008
【図７】
0003099608.tif 000009
【図８】
0003099608.tif 000010